(57)【要約】【課題】  連結機構部を有して成形金型２０ｅ内で一体的に成形される縦ブレード群２０ｃを、パーテーションラインＰＬが簡単な形状で型強度の高い成形金型２０ｅを使用して成形することができ、かつ、操作ノブ２２の操作フィーリングを損なうことがない構造に構成する。【解決手段】  連結機構２０ｄを、縦ブレード２３の中間部に一体的に形成されて同縦ブレード２３と同軸的に位置する断面円形状の連結柱部２３ｄ（第１の連結機構部２０ｄ1）と、操作ノブ２２の後端側に設けられて所定の間隔を保持して後方に延びる一対の連結腕部２２ａ，２２ｂ（第２の連結機構部２０ｄ2）を備える構成とし、連結柱部２３ｄを両連結腕部２２ａ，２２ｂ間の係合溝部２２ｃに回転可能に挿入して、操作ノブ２２を縦ブレード２３に連結する構造とした。【選択図】  図４
2008126785.tif 000002
【特許請求の範囲】
【請求項１】
空気誘導路を形成する方形の筒体と、前記筒体内における先端側部位に互いに並列して回動可能に支持された複数の前側風向調整板と、前記筒体内における先端から後方に所定間隔離れた部位に互いに並列して回動可能に支持されて前記各前側風向調整板とは直交状態に位置する複数の後側風向調整板と、前記各前側風向調整板の所定の前側風向調整板に長手方向に摺動可能に組付けられた操作ノブを備え、前記操作ノブは前記各後側風向調整板の所定の後側風向調整板に連結機構を介して作動的に連結されていて、前記操作ノブを、前記所定の前側風向調整板上を長手方向に摺動させることにより、前記各後側風向調整板を互いに連動して揺動動作させる構成の車室内用空気吹出装置であり、前記連結機構は、前記所定の後側風向調整板における中間部に一体的に形成されて同風向調整板と同軸的に位置する断面円形状の連結柱部と、前記操作ノブの後端側に設けられて所定の間隔を保持して後方に延びる一対の連結腕部を備え、前記連結柱部が前記両連結腕部間の係合溝部に回転可能に挿入されている状態で、前記操作ノブが前記所定の後側風向調整板に連結されていることを特徴とする車室内用空気吹出装置。
【請求項２】
請求項１に記載の車室内用空気吹出装置において、前記所定の後側風向調整板を、長手方向に分割された一対の調整板部と、前記各調整板部の先端部に一体的に形成されて互いに対向する一対の支持板部と、前記各支持板部の互いに対向する各側縁部にこれら各支持板部と一体的に形成されてこれら各支持板部を互いに連結する一対の連結板部と、前記各支持板部における前記各連結板部より前側中央部に前記各支持板部と一体的に形成されてこれら支持板部を互いに連結する断面円形状の連結柱部を備える構成として、これらの各構成部からなる部位を被連結側の連結機構部となし、当該連結機構部を構成する前記連結柱部が連結側の連結機構部をなす前記操作ノブの前記両連結腕部間の係合溝部に回転可能に挿入されている状態で、前記操作ノブが前記所定の後側風向調整板に連結されていることを特徴とする車室内用空気吹出装置。
【発明の詳細な説明】
【技術分野】
【０００１】
本発明は、センタレジスタ、サイドレジスタ、ロアレジスタ、サイドデフロスタ等、車室内用空気吹出装置に関する。
【背景技術】
【０００２】
車室内用空気吹出装置の一形式として、空気誘導路を形成する方形の筒体と、前記筒体内における先端側部位に互いに並列して回動可能に支持された複数の前側風向調整板と、前記筒体内における先端から後方に所定間隔離れた部位に互いに並列して回動可能に支持されて前記各前側風向調整板とは直交状態に位置する複数の後側風向調整板と、前記各前側風向調整板の所定の前側風向調整板に長手方向に摺動可能に組付けられた操作ノブを備え、前記操作ノブは前記所定の後側風向調整板に連結機構を介して作動的に連結されていて、前記操作ノブを、前記所定の前側風向調整板上を長手方向に摺動させることにより、前記各後側風向調整板を互いに連動して揺動動作させる構成の車室内用空気吹出装置がある。
【０００３】
当該形式の車室内用空気吹出装置を構成する前記筒体、前記各前側風向調整板、および、前記各後側調整板は、合成樹脂材料にて成形されている樹脂成形品であって、一般には、これらの構成部材はそれぞれ別々に成形されていて、前記筒体に、各前側風向調整板を１枚１枚組付け、かつ、各後側風向調整板を１枚１枚組付けることにより、当該形式の車室内用空気吹出装置が組立てられている。このため、当該形式の車室内用空気吹出装置の組立てには、部品点数が多いことから、組付け工数が多くて組立て作業が面倒である。
【０００４】
近年、これに対処すべく、前記各後側風向調整板または前記各前側風向調整板を１群として、かつ、各後側風向調整板または各前側風向調整板を互いに連結する連結ロッド、および／または、各後側風向調整板または各前側風向調整板を回動可能に支持する支持板を同一の成形金型内にて成形し、成形された各後側風向調整板または各前側風向調整板を１群として、連結ロッドおよび／または支持板に組付ける成形方法が提案されている（特許文献１を参照）。また、当該成形方法はすでに実用化されており、当該成形方法を採用して構成された車室内用空気吹出装置が、「レジスタ」なる名称で提案されている（特許文献２を参照）。特許文献２に提案されているレジスタは、後側風向調整板である複数の縦ブレードと筒体であるリテーナを同一の成形金型内にて成形し、かつ、各縦ブレードが同成形金型内でリテーナ内に組付けられているものである。
【０００５】
ところで、当該形式の空気吹出装置においては、前記各前側風向調整板の所定の前側風向調整板に長手方向へ摺動可能に組付けられた操作ノブが、連結機構を介して、前記各後側風向調整板の所定の風向調整板に作動的に連結されていて、前記操作ノブを、前記所定の前側風向調整板上を長手方向に摺動させることにより、前記各後側風向調整板を互いに連動して揺動動作させる構成となっている。当該連結機構は、その構成が複雑であることから、当該成形方法に支障をきたすおそれがあり、また、当該連結機構の構成が操作ノブの操作性に影響を及ぼすおそれがある。上記した特許文献２には、これらの問題に対処し得る連結機構が提案されている。
【０００６】
当該特許文献２にて提案されているレジスタにおいては、連結機構は、各後側風向調整板の所定の後側風向調整枚に設けた被連結側の第１の連結機構部と、操作ノブ側に設けた連結側の第２の連結機構部によって構成されている。図６および図７には、当該レジスタの連結機構を示しており、また、図８（ａ）には全ての縦ブレードを同一の成形金型内にて成形する状態を模式的に示している。
【０００７】
当該レジスタ１０は、空気誘導路を形成する方形の筒体であるリテーナ１０ａと、リテーナ１０ａ内における先端開口部の近傍に回動可能に支持されて上下方向に並列する複数の横ブレード群１０ｂと、リテーナ１０ａ内における横ブレード群１０ｂより所定距離後方の部位に回動可能に支持されて左右方向に並列する複数の縦ブレード群１０ｃと、操作ノブを縦ブレードに作動的に連結する連結機構１０ｄを備えている。これらの全ての構成部材は、合成樹脂材料にて成形されている。
【０００８】
特に、縦ブレード群１０ｃと、縦ブレード郡１０ｃの各縦ブレードを互いに連結する後述の連結ロッド１３ｅと、各縦ブレードを回動可能に支持する後述の支持板１３ｆは、図８（ａ）に模式的に示す成形金型１０ｅ内にて成形されているものであり、成形金型１０ｅは、成形された縦ブレード群１０ｃの各縦ブレードを、成形金型１０ｅ内にて、連結ロッド１３ｅおよび支持板１３ｆに組付けることができるように構成されている。なお、同図（ａ）における符号１０ｅ1は、固定側金型を示し、符号１０ｅ2は可動側金型を示し、符号ＰＬは可動側金型１０ｅ2を固定側金型１０ｅ1から離間可能なパーテーションラインを示している。
【０００９】
当該レジスタ１０においては、図６および図７に示すように、横ブレード群１０ｂの中間部に位置する所定の横ブレード１１に操作ノブ１２が組付けられている。操作ノブ１２は、横ブレード１１に対して、その左右方向に摺動可能に組付けらていて、操作ノブ１２と縦ブレード群１０ｃの中間部に位置する所定の縦ブレード１３との間に、連結機構１０ｄが形成されている。当該連結機構１０ｄは、縦ブレード１３に設けた被連結側の第１の連結機構部１０ｄ1と、操作ノブ１２側に設けた連結側の第２の連結機構部１０ｄ2とにより構成されている。
【００１０】
第１の連結機構部１０ｄ1は、縦ブレード１３の前側中間部に一体的に形成された上下一対の平板状の支持板部１３ａ，１３ｂと、これら両支持板部１３ａ，１３ｂにおける前方の部位に、左右に偏倚して一体的に形成された左右一対の断面楕円状の連結柱部１３ｃ，１３ｄを備え、縦ブレード１３における両支持板部１３ａ，１３ｂ間の前側壁部は、後方へ円弧状に切り欠かれた形状に形成されている。第１の連結機構部１０ｄ1のこのような構造は、パーテーションラインＰＬを基準線として、可動側金型１０ｅ2を固定側金型１０ｅ1に対して離間できる構造である。第１の連結機構部１０ｄ1を具備する縦ブレード郡１０ｃは、連結ロッド１３ｅおよび支持板１３ｆに組付けられた組立て構造体として、リテーナ１０ａ内に組付けられている。
【００１１】
一方、第２の連結機構部１０ｄ2は、横ブレード１１に左右方向へ摺動可能に組付けられている操作ノブ１２の後部に操作ノブ１２と一体に形成されている。第２の連結機構部１０ｄ2は、左右に所定間隔を保持して後方へ突出する左右一対の外側の連結腕部１２ａ，１２ｂと、これら両連結腕部１２ａ，１２ｂの中間に位置して両連結腕部１２ａ，１２ｂ間を左右の係合溝部１２ａ1，１２ｂ1に区画する中央の連結腕部１２ｃにより構成されている。中央の連結腕部１２ｃは、外側の両連結腕部１２ａ，１２ｂよりわずかに短尺のもので、その突出端部は円錐形状に形成されている。
【００１２】
第１の連結機構部１０ｄ1は、各連結柱部１３ａ，１３ｂを、第２の連結機構部１０ｄ2の各係合溝部１２ａ1，１２ｂ1に挿入された状態で、第２に連結機構部１０ｄ2と作動的に連結されている。
【００１３】
当該連結機構１０ｄにおいては、横ブレード１１上に組付けられている操作ノブ１２を左右方向に摺動させると、操作ノブ１２は、各係合溝部１２ａ1，１２ｂ1に挿入されている連結柱部１３ｃ，１３ｄを左右の一方へ押動して、縦ブレード１３を左右方向に揺動させる。この間、中央の連結腕部１２ｃにて押動されている連結柱部１３ｃ，１３ｄの一方は、係合溝部を開口部側へ移行し、縦ブレード１３が所定量揺動した時点で、中央の連結柱部１２ｃの先端を乗り越えて外側の連結腕部１２ａ，１２ｂの一方側に移行し、かつ、連結柱部１３ｃ，１３ｄの他方は係合溝の基端部側へ移行し、外側に位置する連結腕部１２ａ，１２ｂの他方によって押動されることになる。
【特許文献１】特公平４−６９５４２号公報
【特許文献２】特許第３３２９６７０号公報
【発明の開示】
【発明が解決しようとする課題】
【００１４】
ところで、当該連結機構１０ｄを構成する第１の連結機構部１０ｄ1においては、上記した構造を採ることにより、成形金型１０ｅの固定側金型１０ｅ1と可動側金型１０ｅ2間にて縦ブレード群フィン１０ｃと一体的に成形可能であるが、固定側金型１０ｅ1と可動側金型１０ｅ2の互いに対向する部位は、パーテーションラインＰＬで示すように複雑な形状となり、幅狭な突出部が複数存在することから、強度的な問題が発生することが考えられる。このため、当該連結機構部１０ｄには、パーテーションラインＰＬが簡単な形状となって、成形金型１０ｅの強度を向上し得る構造が要請される。
【００１５】
また、当該連結機構１０ｄにおいては、縦ブレード群１０ｃを連動して揺動させる場合、その途中で、第１の連結機構部１０ｄ1における押動される側の連結柱部１３ｃ，１３ｄが、第２の連結機構部１０ｄ2の中央の連結腕部１２ｃから一方の外側の連結腕部１２ａ，１２ｂ側に移行するが、この際には、操作ノブ１２には、急激な荷重変化が発生する。この結果、操作ノブ１２の操作者は操作途中に引っ掛かりを感じ、操作フィーリングが損なわれることになる。このため、当該連結機構１０ｄには、操作ノブ１２の操作フィーリングを向上し得る構造が要請される。
【００１６】
また、当該連結機構１０ｄを構成する第１の連結機構部１０ｄ1においては、上記した構造を採ることにより、上下の支持板部１３ａ，１３ｂ間には、縦ブレードとして機能するブレード部が存在せず、両支持板部１３ａ，１３ｂ間には、縦ブレード群１０ｃを揺動させた状態では、図８（ｂ）の１点鎖線で示すように、空気流が直進する誘導路が形成される。この結果、当該連結機構１０ｄにおいては、レジスタ１０の空気流の指向機能が損なわれることになる。このため、当該連結機構１０ｄには、空気流の指向機能を向上し得る構造が要請される。
【００１７】
従って、本発明の目的は、当該連結機構１０ｄに対する上記した各要請の少なくとも１つの要請に対処し得る構成の連結機構を提供することにあり、好ましくは、全ての要請に対処し得る構成の連結機構を提供するものである。
【課題を解決するための手段】
【００１８】
本発明は、車室内用空気吹出装置に関する。本発明が適用対象とする空気吹出装置は、
空気誘導路を形成する方形の筒体と、前記筒体内における先端側部位に互いに並列して回動可能に支持された複数の前側風向調整板と、前記筒体内における先端から後方に所定間隔離れた部位に互いに並列して回動可能に支持されて前記各前側風向調整板とは直交状態に位置する複数の後側風向調整板と、前記各前側風向調整板の所定の前側風向調整板に長手方向に摺動可能に組付けられた操作ノブを備え、前記操作ノブは前記各後側風向調整板の所定の後側風向調整板に連結機構を介して作動的に連結されていて、前記操作ノブを、前記所定の前側風向調整板上を長手方向に摺動させることにより、前記各後側風向調整板を互いに連動して揺動動作させる形式の車室内用空気吹出装置である。
【００１９】
しかして、本発明に係る空気吹出装置においては、前記連結機構は、前記所定の後側風向調整板における中間部に一体的に形成されて同風向調整板と同軸的に位置する断面円形状の連結柱部と、前記操作ノブの後端側に設けられて所定の間隔を保持して後方に延びる一対の連結腕部を備え、前記連結柱部が前記両連結腕部間の係合溝部に回転可能に挿入されている状態で、前記操作ノブが前記所定の後側風向調整板に連結されていることを特徴とするものである。
【００２０】
本発明に係る車室内用空気吹出装置において、前記所定の後側風向調整板を、長手方向に分割された一対の調整板部と、前記各調整板部の先端部に一体的に形成されて互いに対向する一対の支持板部と、前記各支持板部の互いに対向する各側縁部にこれら各支持板部と一体的に形成されてこれら各支持板部を互いに連結する一対の連結板部と、前記各支持板部における前記各連結板部より前側中央部に前記各支持板部と一体的に形成されてこれら支持板部を互いに連結する断面円形状の連結柱部を備える構成として、これらの各構成部からなる部位を被連結側の連結機構部となし、当該連結機構部を構成する前記連結柱部が連結側の連結機構部をなす前記操作ノブの前記両連結腕部間の係合溝部に回転可能に挿入されている状態で、前記操作ノブが前記所定の後側風向調整板に連結されている構成とすることができる。
【発明の効果】
【００２１】
本発明に係る車室内用空気吹出装置においては、連結機構を構成する被連結側の連結機構部を上記した構成とすることにより、固定側金型と可動側金型の互いに対向するパーテーションラインＰＬを簡単な形状とすることができ、両金型を、幅狭な突出部が複数存在することがない金型とすることができ、成形金型の強度を従来の成形金型より向上させることができる。
【００２２】
また、当該連結機構においては、被連結側の連結機構部と連結側の連結機構部は、所定の後側風向調整板側に設けた１本の連結柱部を、操作ノブ側に設けた一対の両連結腕部間の係合溝部に挿入した状態で互いに連結するように構成されている。このため、後側風向調整板群を揺動動作すべく操作ノブを前側風向調整板上を摺動操作している間、連結柱部は、両連結腕部間の係合溝部内に位置し、操作ノブに対して急激な荷重変化が発生することはない。従って、操作ノブの操作者は、操作ノブの摺動操作の途中で引っ掛かりを感じることはなく、操作ノブの操作フィーリングが損なわれることはない。
【００２３】
また、本発明に係る車室内用空気吹出装置においては、所定の後側風向調整板を、長手方向に分割された一対の調整板部と、これら各風向調整板部に一体的に形成されて互いに対向する一対の支持板部と、前記各支持板部の互いに対向する各側縁部にこれら各支持板部と一体的に形成されてこれら各支持板部を互いに連結する一対の連結板部と、前記各支持板部における前記各連結板部より前側中央部に前記各支持板部と一体的に形成されてこれら支持板部を互いに連結する断面円形状の連結柱部を備える構成として、これらの各構成部からなる部位を被連結側の連結機構部とすることができる。
【００２４】
かかる構成の連結機構によれば、各連結板部が、風向調整板部の風向調整機能を補足すべく機能する。このため、当該連結機構においては、後側風向調整板群が揺動動作した状態にあっても、空気流が直進する誘導路が形成されることはなく、当該空気吹出装置の空気流の指向機能が損なわれることはない。
【発明を実施するための最良の形態】
【００２５】
本発明は、車室内用空気吹出装置に関する。図１〜図４には、本発明に係る空気吹出装置の一実施形態であるレジスタ２０を示している。当該レジスタ２０は、車室内の前面側のインストルメントパネルの背面側に位置する空調装置の空気ダクトの先端側に接続されて、インストルメントパネルに組付けられるもので、インストルメントパネルに組付けられている状態では、空気吹出口部が車室内に臨んでいる。
【００２６】
当該レジスタ２０は、空気誘導路を形成する方形の筒体であるリテーナ２０ａと、リテーナ２０ａの先端開口部の近傍に回動可能に支持されて、上下方向に並列する複数の横ブレード群２０ｂと、リテーナ２０ａ内における横ブレード群２０ｂより所定距離後方の部位に支持されて左右方向に並列する複数の風向調整板である縦ブレード群２０ｃと、操作ノブを縦ブレードに作動的に連結する連結機構２０ｄを備え、これらの全ての構成部材は、合成樹脂材料を使用して形成されている樹脂成型品である。
【００２７】
特に、縦ブレード２０ｃ群を構成する各縦ブレードと、各縦ブレードを互いに連結する後述の連結ロッド２３ｅと、各縦ブレードを回動可能に支持する後述の支持板２３ｆは、図５（ａ）に模式的に示す成形金型２０ｅ内にて成形されるものである。成形金型２０ｅは、成形された縦ブレード群２０ｃの各縦ブレードを、成形金型２０ｅ内にて、成形された連結ロッド２３ｅに組付けるとともに、成形された支持板２３ｆに組付けることができるように構成されている。なお、同図における符号２０ｅ1は固定側金型を示し、符号２０ｅ2は可動側金型を示し、符号ＰＬは可動側金型２０ｅ2を固定側金型２０ｅ1から離間することができるパーテーションラインを示している。
【００２８】
当該レジスタ２０においては、横ブレード群２０ｃの中間部に位置する所定の横ブレード２１に、操作ノブ２２が組付けられている。操作ノブ２２は、横ブレード２１に対して、その左右方向へ摺動可能に組付けられていて、操作ノブ２２と、縦ブレード群２０ｃの中間部に位置する所定の縦ブレード２３との間に連結機構２０ｄが形成されている。当該連結機構２０ｄは、縦ブレード２３側に設けた被連結側の第１の連結機構部２０ｄ1と、操作ノブ２２側に設けた連結側の第２の連結機構部２０ｄ2とにより構成されている。
【００２９】
縦ブレード２３は、図３〜図５に示すように、上下に分割されていて、上下の両ブレード部２３ａ1，２３ａ2の端部には、それぞれ平板状の支持板部２３ｂ1，２３ｂ2が一体的に成形されている。第１の連結機構部２０ｄ1は、これら両支持板部２３ｂ1，２３ｂ2と、各支持板部２３ｂ1，２３ｂ2のそれぞれの互いに対向する各側縁部にこれら両支持板部２３ｂ1，２３ｂ2と一体的に成形されてこれら両支持板部２３ｂ1，２３ｂ2を互いに連結する一対の連結板部２３ｃ1，２３ｃ2と、各支持板部２３ｂ1，２３ｂ2の前側中央部にこれら両支持板部２３ｂ1，２３ｂ2と一体的に成形されてこれら両支持板部２３ｂ1，２３ｂ2を互いに連結する断面円形状の連結柱部２３ｄを備えている。第１の連結機構部２０ｄ1のこのような構造は、パーテーションラインＰＬを基準線として、可動側金型２０ｅ2を固定側金型２０ｅ1から離間できる構造である。第１の連結機構部２０ｄ1を具備する縦ブレード郡２０ｃは、連結ロッド２３ｅおよび支持板２３ｆに組付けられた組立て構造体として、リテーナ２０ａ内に組付けられている。
【００３０】
一方、第２の連結機構部２０ｄ2は、横ブレード２１に左右方向へ摺動可能に組付けられる操作ノブ２２の後部に、操作ノブ２２と一体的に成形されている。第２の連結機構部２０ｄ2は、操作ノブ２２の後部に設けた左右一対の連結腕部２２ａ，２２ｂからなり、第１の連結機構部２０ｄ1の連結腕部２３ｄを、これら両連結腕部２２ａ，２２ｂ間の係合溝部２２ｃに挿入されている状態で、操作ノブ２２は縦ブレード２３に作動的に連結している。
【００３１】
しかして、当該連結機構２０ｄを構成する第１の連結機構部２０ｄ1を備える縦ブレード２３を含む縦ブレード群２０ｃは、図５（ａ）に示すように、成形金型２０ｅの固定側金型２０ｅ1と可動側金型２０ｅ2間にて成形され、成形終了後には、可動側金型２０ｅ2を固定側金型２０ｅ1から離間されて離型される。離型された縦ブレード群２０ｃは、成形金型２０ｅ内にて、成形金型２０ｅが具備する図示しない組付け用治具によって、リテーナ２０ａ内の所定の部位に組付けられて、リテーナ２０ａ内に回動可能に支持される。
【００３２】
このように構成した連結機構２０ｄを具備するレジスタ２０においては、前側に位置する横ブレード群２０ｂを揺動動作させて、空気吹出口部から吹出する空気流を上下方向の一方に指向させるには、操作ノブ２２を、横ブレード２１上で上下方向の一方に回動操作する。これにより、横ブレード２１は上下方向の一方に揺動動作し、同時に横ブレード２１と連結ロッド２１ａを介して互いに連結している全ての横ブレード（横ブレード群２０ｂ）が連動して同方向に揺動動作し、空気吹出口部から吹出する空気流は、横ブレード群２０ｂの揺動方向に指向される。
【００３３】
また、後側に位置する縦ブレード群２０ｃを揺動動作させて、空気吹出口部から吹出する空気流を左右方向の一方に指向させるには、操作ノブ２２を、横ブレード２１上を左右方向の一方へ摺動操作する。これにより、縦ブレード２３は左右方向の一方に揺動動作し、同時に、縦ブレード２３と連結ロッド２３ｅを介して互いに連結している全ての縦ブレード（縦ブレード群２０ｃ）が連動して同方向に揺動動作し、空気吹出口部から吹出する空気流は、縦ブレード群２０ｃの揺動方向に指向される。
【００３４】
ところで、当該レジスタ２０が具備する連結機構２０ｄを構成する第１の連結機構部２０ｄ1は、上記した構造を採ることにより、成形金型２０ｅの固定側金型２０ｅ1と可動側金型２０ｅ2間にて縦ブレード群２０ｃと一体的に成形することができるが、固定側金型２０ｅ1と可動側金型２０ｅ2の互いに対向する部位は、図５（ａ）に記載のパーテーションラインＰＬで示しように簡単な形状となり、両金型２０ｅ1，２０ｅ2間には、幅狭な突出部が複数存在することはない。このため、当該成形金型２０ｅは、図８（ａ）に示す従来の成形金型１０ｅに比較して強度が高いものとなる。
【００３５】
また、当該レジスタ２０が具備する連結機構２０ｄにおいては、縦ブレード群２０ｃを連動して揺動動作させる場合、第１の連結機構部２０ｄ1を構成する連結柱部２０ｄは、第２の連結機構部２０d2を構成する両連結腕部２２ａ，２２ｂ間の係合溝部２２ｃ内に常に位置する。このため、操作ノブ２２の左右方向への摺動途中に急激な荷重変化が発生するようなことはなく、操作ノブ２２の操作者は、操作ノブ２２の摺動操作途中に引っ掛かりを感じることがなくて、操作フィーリングが損なわれることはない。
【００３６】
また、当該レジスタ２０が具備する連結機構２０ｄを構成する第１の連結機構部２０ｄ1においては、上記した構造を採ることにより、両支持板部２３ｂ1，２３ｂ2間にて互いに対向する各側縁部に位置する各連結板部２３ｃ1，２３ｃ2は、図５（ｂ）にて１点鎖線で示すように、縦ブレード２３の各ブレード部２３ａ1，２３ａ2と同様の風向調整機能を有する。このため、第１の連結機構部２０ｄ１においては、縦ブレード群２０ｃが揺動動作した状態にあっても、空気流が直進する誘導路が形成されることはなく、当該レジスタ２０の空気流の指向機能が損なわれることはない。
【図面の簡単な説明】
【００３７】
【図１】本発明に係る車室内用空気吹出装置の一実施形態であるレジスタを示す正面図である。
【図２】同レジスタの斜視図である。
【図３】同レジスタの縦断側面図である。
【図４】同レジスタの横断平面図である。
【図５】同レジスタを構成する縦ブレード群を成形金型内で成形する状態をを示す模式図（ａ）、および、縦ブレード群が揺動動作している場合の空気吹出口部から吹出する空気流の指向方向を示す模式図（ｂ）である。
【図６】従来の車室内用空気吹出装置であるレジスタの縦断側面図である。
【図７】同レジスタの横断平面図である。
【図８】同レジスタを構成する縦ブレード群を成形金型内で成形する状態を示す模式図（ａ）、および、縦ブレード群が揺動動作している場合の空気吹出口部から吹出する空気流の指向方向を示す模式図（ｂ）である。
【符号の説明】
【００３８】
１０…レジスタ、１０ａ…リテーナ、１０ｂ…横ブレード群、１０ｃ…縦ブレード群、１０ｄ…連結機構、１０ｄ1…第１の連結機構部、１０ｄ2…第２の連結機構部、１０ｅ…成形金型、１０ｅ1…固定側金型、１０ｅ2…可動側金型、１１…横ブレード、１２…操作ノブ、１２ａ，１２ｂ，１２ｃ…連結腕部、１２ａ1，１２ｂ1…係合溝部、１３…縦ブレード、１３ａ，１３ｂ…支持板部、１３ｃ，１３ｄ…連結柱部、１３ｅ…連結ロッド、１３ｆ…支持板、２０…レジスタ、２０ａ…リテーナ、２０ｂ…横ブレード群、２０ｃ…縦ブレード群、２０ｄ…連結機構、２０ｄ1…第１の連結機構部、２０ｄ2…第２の連結機構部、２０ｅ…成形金型、２０ｅ1…固定側金型、２０ｅ2…可動側金型、２１…横ブレード、２１ａ…連結ロッド、２２…操作ノブ、２２ａ，２２ｂ…連結腕部、２２ｃ…係合溝部、２３…縦ブレード、２３ａ1，２３ａ2…ブレード部、２３ｂ1，２３ｂ2…支持板部、２３ｃ1，２３ｃ2…連結板部、２３ｄ…連結柱部、２３ｅ…連結ロッド、２３ｆ…支持板、ＰＬ…パーテーションライン。
【図１】
2008126785.tif 000003
【図２】
2008126785.tif 000004
【図３】
2008126785.tif 000005
【図４】
2008126785.tif 000006
【図５】
2008126785.tif 000007
【図６】
2008126785.tif 000008
【図７】
2008126785.tif 000009
【図８】
2008126785.tif 000010